(57)【要約】      （修正有）【課題】ファンモータに搭載される回路基板に水が浸入し難い構造を備える空気調和機の室外機を提供する。【解決手段】空気調和機の室外機は、開口を有する筐体と、通気孔を有して前記開口を覆うカバー部４と、カバー部４に接して取り付けられるファンモータ８と、ファンモータ８に搭載される回路基板８２を有している。カバー部４とファンモータ８との境界には、水が回路基板８２に至ることを阻止するシール部材からなる阻止部が設けられる。【選択図】図３
2019032091.tif 000002
【特許請求の範囲】
【請求項１】
空気調和機の室外機であって、
開口を有する筐体と、
通気孔を有して前記開口を覆うカバー部と、
前記カバー部に取り付けられるファンモータと、
前記ファンモータに搭載される回路基板と、
前記カバー部と前記ファンモータとの境界を経て水が前記回路基板に至ることを阻止する阻止部と、
を有することを特徴とする室外機。
【請求項２】
前記カバー部と前記ファンモータとは、接して取り付けられ、
前記阻止部には、前記カバー部と前記ファンモータとの境界に形成されている第１の阻止部が含まれることを特徴とする請求項１に記載の室外機。
【請求項３】
前記第１の阻止部には、前記カバー部と前記ファンモータとの間に挟まれているシール部材が含まれることを特徴とする請求項２に記載の室外機。
【請求項４】
前記第１の阻止部には、前記カバー部と前記ファンモータとの互いに向かい合う２つの面の少なくとも一方に形成されている凹部空間が含まれることを特徴とする請求項２又は３に記載の室外機。
【請求項５】
前記第１の阻止部には、前記カバー部と前記ファンモータとの互いに向かい合う２つの面の一方に形成される凹部と、他方に形成される凸部とが嵌合している嵌合部が含まれることを特徴とする請求項２から４のいずれか１項に記載の室外機。
【請求項６】
前記ファンモータは、
ステータを有する静止部と、
前記静止部に取り付けられて前記回路基板を覆うブラケットと、
を有し、
前記阻止部には、前記静止部と前記ブラケットとの境界に形成されている第２の阻止部が含まれることを特徴とする請求項１から５のいずれか１項に記載の室外機。
【請求項７】
前記阻止部は、前記回路基板を取り囲む位置に配置されていることを特徴とする請求項１から６のいずれか１項に記載の室外機。
【請求項８】
前記ファンモータは、軸方向と平行に配置されるネジを用いて前記カバー部に固定されており、
前記阻止部は、前記ネジよりも径方向内側に位置することを特徴とする請求項１から７のいずれか１項に記載の室外機。
【請求項９】
前記ファンモータは、
前記ネジを取り付ける取付部と、
前記取付部に対して軸方向に突出する突出部と、
を有し、
前記カバー部は、前記突出部を挿入する穴部を有し、
前記突出部の外径は、前記穴部の内径以上であることを特徴とする請求項８に記載の室外機。
【請求項１０】
前記ファンモータは、
前記ステータを有する静止部を有し、
前記ステータは、
複数のティースをもつ磁性体のステータコアと、
前記複数のティースに巻かれた導線と、
を有し、
前記静止部は、前記ステータコア及び前記導線の少なくとも一部分を覆う樹脂製のステータハウジングをさらに有し、
前記阻止部は、前記ステータハウジング及び前記カバー部のうち、少なくともいずれか一方に設けられていることを特徴とする請求項１に記載の室外機。
【発明の詳細な説明】
【技術分野】
【０００１】
本発明は、空気調和機の室外機に関する。
【背景技術】
【０００２】
従来、家屋用の空気調和機として、室外機と室内機とに分かれた分離型の空気調和機が知られる。屋外に配置される室外機と、屋内に配置される室内機とは、例えば家屋の外壁を貫通する冷媒配管で接続される。
【０００３】
特許文献１には、分離型空気調和機の室外ユニットが開示される。特許文献１の室外ユニットは、ケーシングを備える。ケーシング内には、圧縮機と、軸流ファンと、軸流ファンの吸込側に位置する空気熱交換器とが配設される。軸流ファンは、ケーシングの空気吹出口となる空気流通口に臨む。空気流通口には、ファンガードが設けられている。ファンガードは、軸流ファンと同軸上に位置する円板部を有する。また、ファンガードは、円板部の外周にあって空気流の出口となるグリル部を有する。円板部の内面には、軸流ファンを駆動させるためのファンモータが固着されている。
【先行技術文献】
【特許文献】
【０００４】
【特許文献１】実開昭６２−１０５４３３号公報
【発明の概要】
【発明が解決しようとする課題】
【０００５】
特許文献１に開示される構成では、例えばグリル部等から室外ユニットの内部に水が入り込む可能性がある。内部に入り込んだ水は、例えばファンモータ内部に搭載される回路基板に到達する虞がある。回路基板に水が到達すると、ファンモータが故障してしまうために、回路基板への水の浸入を如何に妨げるかが問題となる。
【０００６】
以上の点に鑑みて、本発明は、ファンモータに搭載される回路基板に水が浸入し難い構造を備える空気調和機の室外機を提供することを目的とする。
【課題を解決するための手段】
【０００７】
本発明の例示的な空気調和機の室外機は、開口を有する筐体と、通気孔を有して前記開口を覆うカバー部と、前記カバー部に取り付けられるファンモータと、前記ファンモータに搭載される回路基板と、前記カバー部と前記ファンモータとの境界を経て水が前記回路基板に至ることを阻止する阻止部と、を有する。
【発明の効果】
【０００８】
例示的な本発明によれば、ファンモータに搭載される回路基板に水が浸入し難い構造を備える空気調和機の室外機を提供できる。
【図面の簡単な説明】
【０００９】
【図１】図１は、本発明の実施形態に係る空気調和機の室外機の外観を示す概略斜視図である。
【図２】図２は、本発明の実施形態に係る空気調和機の室外機の筐体を取り外した状態を示す概略斜視図である。
【図３】図３は、本発明の実施形態系に係る空気調和機の室外機が有するファンモータの概略断面図である。
【図４】図４は、水の浸入経路を説明するための模式図である。
【図５】図５は、本発明の第１実施形態に係るファンモータの取付構造の一部を拡大して示す概略断面図である。
【図６】図６は、第１の阻止部の第１具体例を示す模式図である。
【図７】図７は、第１具体例におけるシール部材周辺の構造を示す概略平面図である。
【図８】図８は、第１具体例の第１変形例を示す模式図である。
【図９】図９は、第１具体例の第２変形例を示す模式図である。
【図１０】図１０は、第１の阻止部の第２具体例を示す概略拡大断面図である。
【図１１】図１１は、第１の阻止部の第３具体例を示す概略拡大断面図である。
【図１２】図１２は、本発明の第２実施形態に係るファンモータの取付構造の一部を拡大して示す概略断面図である。
【発明を実施するための形態】
【００１０】
以下、本発明の例示的な実施形態について、図面を参照しながら詳細に説明する。本明細書では、ファンモータの中心軸の方向を単に「軸方向」と呼び、ファンモータの中心軸を中心とする径方向及び周方向を単に「径方向」及び「周方向」と呼ぶことにする。室外機の排気側の開口が設けられた一面を室外機の正面とする。
＜１．空気調和機の室外機の概略構成＞
【００１１】
まず、本発明の例示的な実施形態に係る空気調和機の室外機の概略構成について説明する。図１は、本発明の実施形態に係る空気調和機の室外機１の外観を示す概略斜視図である。図１に示す室外機１は、不図示の室内機との組み合わせで構成される分離型の空気調和機の室外機である。室外機１は、例えば屋外の床面上に設置される。
【００１２】
室外機１は、開口３を有する筐体２を有する。筐体２は、略矩形箱型に設けられる。筐体２は、特に材料を限定する趣旨ではないが、例えば合成樹脂部品と板金部品とで構成される。開口３は、筐体２の正面側の側壁２ａに形成される。開口３は側壁２ａを貫通する。開口３の形状は特に限定されないが、本実施形態では円形である。開口３は排気口である。筐体２の背面には、不図示の吸気口が設けられる。
【００１３】
室外機１は、通気孔４ａを有して開口３を覆うカバー部４を有する。カバー部４は、開口３の形状に対応して円形に設けられる。カバー部４の形状は、円形以外であってもよい。カバー部４は、筐体２とは別部材である。カバー部４は、特に限定する趣旨ではないが、例えば樹脂で形成される。カバー部４は、例えばネジ等の固定具を用いて側壁２ａに固定される。なお、カバー部４は、筐体２と同一部材であってもよい。
【００１４】
カバー部４は、詳細には、中央に円板部４０を有する。円板部４０は、開口３の中央に位置する。カバー部４は、円板部４０から径方向に延びる複数の第１のリブ４１を有する。カバー部４は、円板部４０の周囲に配置され、周方向に延びる複数の第２のリブ４２を有する。通気孔４ａは、複数のリブ４１、４２の間に複数形成される。複数のリブ４１、４２は、人の手指が誤って筐体２内に入ることを防止する。複数のリブ４１、４２は、筐体２の外部から内部への異物の混入を防止することもできる。
【００１５】
図２は、本発明の実施形態に係る空気調和機の室外機１の筐体２を取り外した状態を示す概略斜視図である。筐体２の内部には、電源部５、圧縮機６、熱交換器７、ファンモータ８等が収納される。
【００１６】
電源部５は、例えば筐体２内に配置される支持部１０に支持される。支持部１０は筐体の端部側に設けられる。電源部５は、外部の商用電源等から電力供給を受けて、室外機１
が動作するために必要な電圧を生成する。電源部５は不図示の電気回路等を用いて整流、降圧、昇圧等を行って室外機１で用いられる各種の電圧を生成する。電源部５は、室外機１の各構成要素に電力を供給する。
【００１７】
圧縮機６は、室外機１の底板９上に設置される。圧縮機６は電源部５の下方に配置される。圧縮機６は、冷凍サイクルで用いる冷媒を圧縮し、高温高圧気体の冷媒を生成する。冷房運転時には、圧縮機６が吐出する冷媒は熱交換器７に送られる。暖房運転時には、圧縮機６が吐出する冷媒は室内機が有する熱交換器に送られる。
【００１８】
熱交換器７は、室外機１の底板９上に設置される。熱交換器７は、筐体２の背面側の吸気口に隣接して広い範囲に設けられる。冷房運転時、熱交換器７には圧縮機６から冷媒が流入する。暖房運転時、熱交換器７には室内機の熱交換器から冷媒が流入する。ファンモータ８を駆動すると、外部から吸気口を通って筐体２の内部に吸い込まれた外気が熱交換器７を通過する。その外気と熱交換器７との間で熱交換が行われる。
【００１９】
ファンモータ８は、カバー部４に取り付けられる。すなわち、ファンモータ８は、開口３に隣接して設けられる。ファンモータ８には、複数の羽根８ａが取り付けられる。ファンモータ８の駆動により、複数の羽根８ａが回転して気流が生じる。ファンモータ８の構成、及び、ファンモータ８のカバー部４への取付構造の詳細は後述する。
【００２０】
その他、室外機１は、不図示の四方弁、膨張弁等を有する。四方弁は冷房運転時、暖房運転時などの異なる運転モードにおいて冷媒の流通方向を切り替える。膨張弁は、開度制御可能に設けられる。
＜２．ファンモータの構成＞
【００２１】
図３は、本発明の実施形態系に係る空気調和機の室外機１が有するファンモータ８の概略断面図である。図３には、ファンモータ８が取り付けられるカバー部４も併せて示されている。ファンモータ８は、静止部８０と回転部８１とを有する。静止部８０は、円板部４０に固定される。回転部８１は、静止部８０に対して回転可能に支持される。
【００２２】
静止部８０は、ステータ８０１を有する。ステータ８０１は、ファンモータ８の電機子である。ステータ８０１は、複数のティースをもつ磁性体のステータコア８０１ａを有する。ステータコア８０１ａは、詳細には、ケイ素鋼板等の電磁鋼板が軸方向に積層された積層鋼板である。ステータコア８０１ａは、中心軸Ａと略同軸に配置された円環状のコアバックを有する。複数のティースは、コアバックから径方向外側に向けて突出する。ステータ８０１は、複数のティースに巻かれた導線８０１ｂを有する。詳細には、導線８０１ｂは、複数のティースの周囲にインシュレータ８０１ｃを介して巻かれる。インシュレータ８０１ｃは、ティースと導線８０１ｃとの間に介在することによって、ティースと導線８０１ｂを電気的に絶縁する
【００２３】
静止部８０は、ステータコア８０１ａ及び導線８０１ｂの少なくとも一部分を覆う樹脂製のステータハウジング８０２をさらに有する。ステータハウジング８０２は、例えばインサート成形によってステータ８０１と一体化される。ステータハウジング８０２は、シャフト８１１を回転可能に支持する軸受部８０３を保持する。軸受部８０３は、特に形態を限定する趣旨ではないが、例えばボールベアリングで構成される。ボールベアリングに代えて、例えばスリーブ軸受等が使用されてもよい。
【００２４】
回転部８１は、シャフト８１１を有する。シャフト８１１は、軸方向に延びる柱状の部材である。シャフト８１１は、例えば、ステンレス等の金属で形成される。シャフト８１１は、軸受部８０３に支持され、中心軸Ａを中心として回転する。
【００２５】
回転部８１は、複数のマグネット８１３を保持するロータ８１２を有する。ロータ８１２は、シャフト８１１に対して固定され、シャフト８１１とともに回転する。ロータ８１２は、円筒部８１２ａを有し、静止部８０の外周面を囲む。複数のマグネット８１３は、円筒部８１２ａの内周面に固定される。複数のマグネット８１３は、ステータ８０１の径方向外側に位置する。複数のマグネット８１３は周方向に等間隔に配列され、Ｎ極の磁極面とＳ極の磁極面とが交互に並ぶ。なお、複数のマグネット８１３に代えて、Ｎ極とＳ極とが周方向に交互に着磁された１つの円環状のマグネットが使用されてもよい。
【００２６】
ロータ８１２の外周面には、複数の羽根８ａが配置される。複数の羽根８ａは、ロータ８１２と同一部材とされ、ロータ８１２とともに回転する。複数の羽根８ａは、ロータ８１２と別部材であってもよい。
【００２７】
その他、ファンモータ８には回路基板８２が搭載される。回路基板８２には、導線８０１ｂに駆動電流を供給するための電子回路が形成されている。回路基板８２は、静止部８０の軸方向の一端部側に配置される。当該一端部側は、ファンモータ８が取り付けられるカバー部４に近い側である。回路基板８２は、ステータハウジング８０２の外面に固定される。固定方法は特に限定されず、例えばネジ等の固定具を使用することもできる。本実施形態では、ステータハウジング８０２に設けられた不図示の突起と、回路基板８２に設けられた不図示の穴とを嵌合することによって固定している。より詳細には、固定にはスナップフィットが利用されており、穴に嵌め込まれた突起は弾性を利用して回路基板８２に引っ掛けられている。回路基板８２の中央部には、円形の開口が形成される。
＜３．ファンモータの取付構造＞
＜３−１．第１実施形態＞
【００２８】
図３を参照して、ファンモータ８は、ネジ８３を取り付けるネジ孔を有する取付部８４を有する。詳細には、取付部８４は、ステータハウジング８０２の径方向の外縁部に設けられる。取付部８４は、ロータ８１２とカバー部４との間に位置する。取付部８４は、径方向に平行な面を有する。取付部８４は、ステータハウジング８０２の一部である。取付部８４は、周方向に複数形成される。取付部８４の数は例えば４つとされる。なお、取付部８４は、ステータハウジング８０２と別部材であってもよい。
【００２９】
ファンモータ８は、取付部８４に対して軸方向に突出する突出部８５を有する。突出部８５は、取付部８４よりも径方向内側に位置する。突出部８５は、ステータハウジング８０２の一部である。突出部８５は、中心軸Ａと略同軸の円環形状である。回路基板８２は、突出部８５に囲まれる。カバー部４は、突出部８５を挿入する穴部４０ａを有する。穴部４０ａは、詳細には円板部４０の内面側に設けられる。穴部４０ａは円形状であり、その中心は円板部４０の中心に略一致する。穴部４０ａは円板部４０を貫通していない。
【００３０】
ファンモータ８は、中心軸Ａが円板部４０と垂直となる姿勢で円板部４０に固定される。ファンモータ８は、軸方向と平行に配置されるネジ８３を用いてカバー部４に固定される。詳細には、取付部８４と、取付部８４に接する円板部４０とが、ネジ８３によって固定される。すなわち、カバー部４とファンモータ８とは、接して取り付けられる。固定状態において、突出部８５は穴部４０ａに挿入されている。ファンモータ８の中心軸Ａと円板部４０の中心とは略一致している。回路基板８２は円板部４０に対向する。
【００３１】
図４は、水の浸入経路を説明するための模式図である。図４において、太い破線は水の浸入経路を例示している。なお、図４に示す構造は、本実施形態のファンモータの取付構造と同様の構造であるが、水の浸入対策が施されていない構造である。例えば、室外機１の外部から、円板部４０に設けられるネジ孔４０ｂとネジ８３との間の隙間を通って水が
浸入する可能性がある。浸入した水は、円板部４０とステータハウジング８０２との境界にできる隙間を経て、回路基板８２に至る可能性がある。また、例えば通気孔４ａを介して筐体２内に水が入り込む可能性がある。筐体２内に入り込んだ水が、円板部４０とステータハウジング８０２との境界にできる隙間を経て、回路基板８２に至る可能性がある。回路基板８２に水が浸入するとファンモータ８が故障する可能性がある。このために、室外機１は、カバー部４とファンモータ８との境界を経て水が回路基板８２に至ることを阻止する阻止部を有する。
【００３２】
図５は、本発明の第１実施形態に係るファンモータ８の取付構造の一部を拡大して示す概略断面図である。本実施形態の取付構造においては、第１の阻止部Ｂ１が、カバー部４とファンモータ８との境界に形成されている。第１の阻止部Ｂ１は、上述の阻止部に含まれる。第１の阻止部Ｂ１によって、水の浸入が妨げられて、円板部４０に対向する回路基板８２に水が至ることを阻止できる。
【００３３】
第１の阻止部Ｂ１は、カバー部４とファンモータ８との間に設けられてもよい。また、第１の阻止部Ｂ１は、カバー部４及びファンモータ８のうち、少なくとも一方に設けられてもよい。より詳細には、第１の阻止部Ｂ１は、カバー部４及びステータハウジング８０２のうち、少なくともいずれか一方に設けられてよい。カバー部４及びステータハウジング８０２は樹脂で形成できる。このために、樹脂成形によって簡単に第１の阻止部Ｂ１を形成することが可能である。
【００３４】
第１の阻止部Ｂ１を設ける位置は、図５に示す位置に限定されず、その位置は適宜変更されてよい。第１の阻止部Ｂ１は、回路基板８２を取り囲む位置に配置されるのが好ましい。また、第１の阻止部Ｂ１は、ネジ８３よりも径方向内側に位置するのが好ましい。第１の阻止部Ｂ１を設ける位置を少ない数として、回路基板８２への水の浸入を効率良く阻止することが可能になる。
【００３５】
なお、突出部８５の外径は、穴部４０ａの内径以上であるのが好ましい。更には、突出部８５の外径は、穴部４０ａの内径と同じか若干大きいのがより好ましい。この場合、ステータハウジング８０２を円板部４０に対して軽圧入することができる。これにより、カバー部４とファンモータ８との境界の一部において隙間の発生を低減できる。第１の阻止部Ｂ１に加えて当該構造を採用することによって、回路基板８２への水の浸入をより効果的に阻止できる。
＜３−１−１．第１の阻止部の第１具体例＞
【００３６】
図６は、第１の阻止部Ｂ１の第１具体例を示す模式図である。第１の阻止部Ｂ１には、図６に示す、カバー部４とファンモータ８との間に挟まれるシール部材Ｓが含まれる。図７は、第１具体例におけるシール部材Ｓ周辺の構造を示す概略平面図である。図７は、軸方向に沿って見た図である。
【００３７】
シール部材Ｓは、Ｏリング等のシールリングである。シール部材Ｓは、突出部８５の根元近傍に配置される。シール部材Ｓは、ステータハウジング８０２の径方向に平行な面と、円板部４０の径方向に平行な面との間に挟まれる。シール部材Ｓは、突出部８５及び回路基板８２を囲む位置に配置される。なお、シール部材Ｓは複数の位置に配置されてもよい。
【００３８】
シール部材Ｓは、ネジ８３の締め付けによって、押し潰されて広がる。シール部材Ｓは、ステータハウジング８０２及び円板部４０に密着する。このために、外部からステータハウジング８０２と円板部４０との境界を通って浸入する水は、シール部材Ｓが設けられる位置で堰き止められる。このために、回路基板８２への水の浸入を阻止できる。
【００３９】
図８は、第１具体例の第１変形例を示す模式図である。シール部材Ｓを配置する箇所において、ステータハウジング８０２に浅い溝８０２ａを設けている。これによると、容易にシール部材Ｓを所定の位置に配置することができる。なお、シール部材Ｓを配置する溝は、ステータハウジング８０２に代えて、カバー部４側に設けてもよい。また、当該溝は、ステータハウジング８０２とカバー部４との両方に設けてもよい。
【００４０】
図９は、第１具体例の第２変形例を示す模式図である。本変形例では、シール部材Ｓは、ステータハウジング８０２の径方向に平行な面と、円板部４０の径方向に平行な面との間に挟まれる。更に、シール部材Ｓは、ステータハウジング８０２の軸方向に平行な面と、円板部４０の軸方向に平行な面との間にも挟まれる。シール部材Ｓが、このような配置でも回路基板８２への水の浸入を阻止できる。作業時に、作業者等がシール部材Ｓを角部分に容易に配置することが可能になる。
＜３−１−２．第１の阻止部の第２具体例＞
【００４１】
図１０は、第１の阻止部Ｂ１の第２具体例を示す概略拡大断面図である。第１の阻止部Ｂ１には、カバー部４とファンモータ８との互いに向かい合う２つの面の少なくとも一方に形成される凹部空間ＲＳが含まれる。図１０においては、凹部空間ＲＳはステータハウジング８０２側にのみ設けられている。凹部空間ＲＳは、ステータハウジング８０２に代えて、円板部４０側にのみ設けられてもよい。凹部空間ＲＳは、ステータハウジング８０２と円板部４０との両方に設けられてもよい。両方に設けることによって、空間を大きくすることができる。
【００４２】
凹部空間ＲＳを設ける位置は特に限定されないが、本例では突出部８５の根元近傍とされている。凹部空間ＲＳは、中心軸Ａを中心として環状に設けられ、第１具体例のシール部材Ｓと同様に、突出部８５及び回路基板８２を囲む。外部からステータハウジング８０２と円板部４０との境界を通って浸入する水は、凹部空間ＲＳに入る。凹部空間ＲＳに入った水は、表面張力によって空間内に留まる。このために、回路基板８２への水の浸入を阻止できる。また、円板部４０及びステータハウジング８０２は樹脂で形成できる。このために、樹脂成型の際に簡単に凹部空間ＲＳを形成することができる。
【００４３】
なお、凹部空間ＲＳは複数位置に設けられてもよい。また、第２具体例の構造は、第１具体例の構造と併用されてもよい。
＜３−１−３．第１の阻止部の第３具体例＞
【００４４】
図１１は、第１の阻止部Ｂ１の第３具体例を示す概略拡大断面図である。第１の阻止部Ｂ１には、カバー部４とファンモータ８との互いに向かい合う２つの面の一方に形成される凹部Ｃと、他方に形成される凸部Ｐとが嵌合している嵌合部Ｆが含まれる。図１１においては、凹部Ｃがステータハウジング８０２に設けられ、凸部Ｐが円板部４０に設けられる。これに代えて、凹部Ｃが円板部４０に設けられ、凸部Ｐがステータハウジング８０２に設けられてもよい。
【００４５】
嵌合部Ｆを設ける位置は特に限定されないが、本例では突出部８５の根元近傍とされている。嵌合部Ｆは、中心軸Ａを中心として環状に設けられ、第１具体例のシール部材Ｓと同様に、突出部８５及び回路基板８２を囲む。嵌合部Ｆは、水の浸入経路に段差を生じさせる。このために、水の浸入経路が長くなる。外部からステータハウジング８０２と円板部４０との境界を通って浸入する水は、この段差によって浸入を妨げられ、回路基板８２まで到達し難くなる。また、円板部４０及びステータハウジング８０２は樹脂で形成できる。このために、樹脂成型の際に簡単に嵌合部Ｆを形成する凹部及び凸部を形成することができる。
【００４６】
なお、嵌合部Ｆは複数位置に設けられてもよい。また、第３具体例の構造は、第１具体例又は第２具体例の構造と併用されてもよい。第３具体例の構造は、第１具体例及び第２具体例の構造と併用されてもよい。
＜３−２．第２実施形態＞
【００４７】
第２実施形態のファンモータ８の取付構造について説明する。なお、説明にあたっては、上述した第１実施形態と同様の内容については説明を省略する。第１実施形態と異なる点に絞って説明を行う。
【００４８】
図１２は、本発明の第２実施形態に係るファンモータ８の取付構造の一部を拡大して示す概略断面図である。第２実施形態においては、ファンモータ８は、静止部８０に取り付けられて回路基板８２を覆うブラケット８６を有する。詳細には、ブラケット８６は、円板形状である。ブラケット８６は、突出部８５の先端面に取り付けられる。なお、ブラケットの位置は突出部８５の先端に限定されない。ブラケット８６は、例えば円環状の突出部８５の円環内部に配置されてもよい。ブラケット８６は、例えば金属又は樹脂で形成される。ブラケット８６は、例えばネジ留め等によって突出部８５に固定される。ブラケット８６は、突出部８５とともに穴部４０ａに入れられる。ブラケット８６を設けることで、回路基板８２の保護を強化できる。
【００４９】
なお、第１実施形態では、ブラケット８６が設けられていない。この場合でも、円板部４０が、外部に対して回路基板８２を覆う。すなわち、円板部４０が回路基板８２を保護する役目を果たしている。第１実施形態の構成は、部品点数を削減できるという利点を有する。
【００５０】
第２実施形態においては、室外機１は、上述の阻止部に含まれる第２の阻止部Ｂ２を有する。第２の阻止部Ｂ２は、静止部８０とブラケット８６との境界に形成されている。より詳細には、第２の阻止部Ｂ２は、ステータハウジング８０２とブラケット８６との境界に形成されている。第２の阻止部Ｂ２によって、水の浸入が妨げられて、回路基板８２に水が至ることを阻止できる。
【００５１】
第２の阻止部Ｂ２は、静止部８０とブラケット８６との間に設けられてもよい。また、第２の阻止部Ｂ２は、静止部８０及びブラケット８６のうち、少なくとも一方に設けられてもよい。より詳細には、第２の阻止部Ｂ２は、ブラケット８６及びステータハウジング８０２のうち、少なくともいずれか一方に設けられてよい。ステータハウジング８０２は樹脂で形成できる。このために、樹脂成型によって簡単に第２の阻止部Ｂ２を形成することも可能である。
【００５２】
第２の阻止部Ｂ２の具体例としては、第１実施形態の第１から第３具体例と同様の、シール部材Ｓ、凹部空間ＲＳ、嵌合部Ｆが挙げられる。また、第２実施形態の構成において、第１の阻止部Ｂ１を設けてもよい。
＜４．その他＞
【００５３】
以上に示した実施形態や変形例の構成は、本発明の例示にすぎない。実施形態や変形例の構成は、本発明の技術的思想を超えない範囲で適宜変更されてもよい。また、複数の実施形態及び変形例は、可能な範囲で組み合わせて実施されてよい。
【００５４】
例えば、第１の阻止部Ｂ１が設けられる第１実施形態の構成において、第２実施形態と同様のブラケット８６がファンモータ８に組み込まれてもよい。
【産業上の利用可能性】
【００５５】
本発明は例えば空気調和機に好適に利用できる。
【符号の説明】
【００５６】
１・・・室外機、２・・・筐体、２ａ・・・側壁、３・・・開口、４・・・カバー部、４ａ・・・通気孔、５・・・電源部、６・・・圧縮機、７・・・熱交換器、８・・・ファンモータ、８ａ・・・羽根、９・・・底板、１０・・・支持部、４０・・・円板部、４０ａ・・・穴部、４０ｂ・・・ネジ孔、４１・・・第１のリブ、４２・・・第２のリブ、８０・・・静止部、８１・・・回転部、８２・・・回路基板、８３・・・ネジ、８４・・・取付部、８５・・・突出部、８６・・・ブラケット、８０１・・・ステータ、８０１ａ・・・ステータコア、８０１ｂ・・・導線、８０１ｃ・・・インシュレータ、８０２・・・ステータハウジング、８０２ａ・・・溝、８０３・・・軸受部、８１１・・・シャフト、８１２・・・ロータ、８１２ａ・・・円筒部、８１３・・・マグネット、Ａ・・・中心軸、Ｂ１・・・第１の阻止部、Ｂ２・・・第２の阻止部、Ｃ・・・凸部、Ｆ・・・嵌合部、Ｐ・・・凸部、ＲＳ・・・凹部空間
【図１】
2019032091.tif 000003
【図２】
2019032091.tif 000004
【図３】
2019032091.tif 000005
【図４】
2019032091.tif 000006
【図５】
2019032091.tif 000007
【図６】
2019032091.tif 000008
【図７】
2019032091.tif 000009
【図８】
2019032091.tif 000010
【図９】
2019032091.tif 000011
【図１０】
2019032091.tif 000012
【図１１】
2019032091.tif 000013
【図１２】
2019032091.tif 000014